(57)【要約】      （修正有）【課題】記録媒体に読取可能な画像ファイル又は音声ファイルが存在していても、管理情報を記録する管理ファイル内にそのファイルがエントリされていない場合に、そのファイルを再生することができる記録再生装置及びその管理情報制御方法並びにプログラムを提供する。【解決手段】画像記録再生部２１３は、画像データを記録する記録媒体２０５と、画像記録再生部２１３全体を制御する内部にファイル管理部２１４を備えるマイコン２０６と、画像記録再生部２１３と接続可能なパソコン２１６とＵＳＢケーブルにより接続可能な外部Ｉ／Ｆ２１２とを備える。ファイル管理部２１４は、ＵＳＢケーブルが切断されたことを検出したときに、ファイルシステム２１７上にファイル情報が存在するファイルの中に未エントリファイルがあり、且つそのファイルがディスプレイ２０９により再生可能である場合、そのファイルを管理ファイル２１５にエントリする。【選択図】図１
2006195632.tif 000002
【特許請求の範囲】
【請求項１】
画像ファイル又は音声ファイルを記録媒体に記録再生する記録再生手段と、
前記記録された画像ファイル又は音声ファイルのファイル状態を示す管理情報に基づき、前記記録媒体に対する前記画像ファイル又は音声ファイルの記録再生動作を制御する管理手段と、
前記記録媒体に記録された画像ファイル又は音声ファイルのうち、再生可能なファイルのファイル状態を取得する取得手段とを備え、
前記管理手段は、前記管理情報に基づく前記記録媒体上の画像ファイル又は音声ファイルのファイル状態と前記取得手段により取得されたファイル状態との差異を検出し、この差異に基づいて前記管理情報の内容を更新することを特徴とする記録再生装置。
【請求項２】
前記管理情報は前記記録媒体に記録されていることを特徴とする請求項１記載の記録再生装置。
【請求項３】
前記管理手段は前記検出した差異に基づいて前記記録媒体より前記画像ファイル又は音声ファイルの少なくとも一部が削除されたことを検出したときに、この削除されたファイルに関連する情報を前記管理情報から削除することを特徴とする請求項１又は２記載の記録再生装置。
【請求項４】
前記管理手段は前記検出した差異に基づいて前記記録媒体に対して新たに前記画像ファイル又は音声ファイルが追加されたことを検出したときに、この追加されたファイルに関連する情報を前記管理情報に追加することを特徴とする請求項１又は２記載の記録再生装置。
【請求項５】
外部装置と接続する外部接続手段を備え、
前記記録再生手段は前記外部接続手段を介して前記外部装置より送信された画像データ又は音声データを前記記録媒体に追加して記録可能であり、
前記管理手段は、前記外部装置との接続が切断されたことに応じて、前記管理情報に基づく前記記録媒体上の画像ファイル又は音声ファイルのファイル状態と前記取得手段により取得されたファイル状態との差異を検出する処理及びそれに伴う前記管理情報の更新処理を実行することを特徴とする請求項１乃至４のいずれか１項に記載の記録再生装置。
【請求項６】
前記管理手段は、起動時に、前記管理情報に基づく前記記録媒体上の画像ファイル又は音声ファイルのファイル状態と前記取得手段により取得されたファイル状態との差異を検出する処理及びそれに伴う前記管理情報の更新処理を実行することを特徴とする請求項１乃至４のいずれか１項に記載の記録再生装置。
【請求項７】
前記管理手段は、前記記録媒体より前記画像ファイル又は音声ファイルを再生するときに、前記管理情報に基づく前記記録媒体上の画像ファイル又は音声ファイルのファイル状態と前記取得手段により取得されたファイル状態との差異を検出する処理及びそれに伴う前記管理情報の更新処理を実行することを特徴とする請求項１乃至４のいずれか１項に記載の記録再生装置。
【請求項８】
前記記録媒体は本体に脱着可能であって、前記管理手段は、前記記録媒体が装着されたときに、前記管理情報に基づく前記記録媒体上の画像ファイル又は音声ファイルのファイル状態と前記取得手段により取得されたファイル状態との差異を検出する処理及びそれに伴う前記管理情報の更新処理を実行することを特徴とする請求項１乃至４のいずれか１項に記載の記録再生装置。
【請求項９】
画像ファイル又は音声ファイルを記録媒体に記録再生する記録再生手段と、前記記録された画像ファイル又は音声ファイルのファイル状態を管理情報に基づき、前記記録媒体に対する前記画像ファイル又は音声ファイルの記録再生動作を制御する管理手段と、
前記記録媒体に記録された画像ファイル又は音声ファイルのうち、再生可能なファイル状態を取得する取得ステップとを備える記録再生装置の管理情報制御方法であって、
前記管理手段により、前記管理情報に基づく前記記録媒体上の画像ファイル又は音声ファイルのファイル状態と前記取得手段により取得されたファイル状態の差異を検出し、この差異に基づいて前記管理情報の内容を更新することを特徴とする管理情報制御方法。
【請求項１０】
画像ファイル又は音声ファイルを記録媒体に記録再生する記録再生手段と、前記記録された画像ファイル又は音声ファイルのファイル状態を管理情報に基づき、前記記録媒体に対する前記画像ファイル又は音声ファイルの記録再生動作を制御する管理手段と、前記記録媒体に記録された画像ファイル又は音声ファイルのうち、再生可能なファイル状態を取得する取得ステップとを備える記録再生装置の管理情報制御方法をコンピュータにより実行するプログラムであって、
前記管理手段により、前記管理情報に基づく前記記録媒体上の画像ファイル又は音声ファイルのファイル状態と前記取得手段により取得されたファイル状態の差異を検出し、この差異に基づいて前記管理情報の内容を更新することを特徴とするプログラム。
【発明の詳細な説明】
【技術分野】
【０００１】
本発明は、記録再生装置及びその管理情報制御方法並びにプログラムに関し、特に、ランダムアクセス可能な記録媒体を脱着可能な再生装置で再生可能な媒体上の画像ファイル又は音声ファイルを、管理情報を用いて管理する記録再生装置及びその管理情報制御方法並びにプログラムに関する。
【背景技術】
【０００２】
従来より、磁気ディスクや光磁気ディスク、メモリカード等の記録媒体に画像や音声情報を記録し、また、これら記録媒体上の画像や音声情報を再生する記録再生装置が各種提案されている。
【０００３】
これらの記録再生装置においては、記録媒体上の画像ファイル又は音声情報の管理の利便性を向上させるため、記録媒体上に記録されている画像ファイル又は音声情報を管理する管理情報を記録する管理ファイルを記録媒体上に格納する方法が提案されている。例えば、記録媒体上の画像情報が動画像の場合、実動画像ファイルとサムネイル画像との関連性や、動画像の圧縮形式やビットレート、あるいは、再生時には連続的に再生されるべき動画像ファイルと動画像ファイルの関連性や順序等が、管理ファイルにより管理される情報として挙げられる。このような記録再生装置においては、管理ファイル上にエントリされている画像ファイル又は音声ファイル情報によって、記録媒体上の情報を一括管理する。
【０００４】
さらに、これらの記録再生装置の中には、記録媒体中の管理ファイルにより画像又は音声情報の再生のみを制御する再生用アプリケーションしか有しておらず、新たに画像又は音声情報を記録媒体に追加する制御を行う汎用アプリケーションや、記録媒体に画像又は音声情報が追加された後にその追加された画像又は音声情報を管理ファイルにエントリする制御を行う専用アプリケーションは、インターフェース（例えばＵＳＢ（Universal Serial Bus））を介して記録再生装置に接続するパソコンが有しているという形態のものがある。
【０００５】
この場合、パソコンが汎用アプリケーションにより記録媒体に新たな画像又は音声情報を追加している際に上記インターフェースが切断され、正常に画像又は音声情報の送受信ができなかった場合、記録媒体上の管理ファイルを上記パソコンによる情報の追加が行われる前の状態に戻し、記録媒体中の画像又は音声情報を復旧する方法が提案されている（例えば、特許文献１参照）。
【特許文献１】特開２００２−２２９８２９号公報
【発明の開示】
【発明が解決しようとする課題】
【０００６】
しかしながら、管理の利便性を向上させるための管理ファイル形式の統一は行われておらず、管理ファイル形式は記録再生装置のメーカや機種によって異なっている。従って、ある管理ファイル形式を用いて記録媒体上の画像ファイル又は音声情報を管理する記録再生装置Ａで記録媒体に画像又は音声ファイルを記録し、これとは異なる管理ファイル形式を用いて記録媒体上の画像ファイル又は音声情報を管理する記録再生装置Ｂで記録媒体の画像又は音声ファイルの再生を行おうとする場合、記録再生装置Ｂ用の管理ファイル上に記録再生装置Ａで記録された画像又は音声ファイルはエントリされていないため、記録再生装置Ｂで再生可能なものであっても、再生対象として選択できないという問題がある（図４）。
【０００７】
また、上述したインターフェースを介してパソコンと接続する記録再生装置において、汎用アプリケーションにより記録媒体に新たな画像又は音声情報の追加は終了していたが、専用アプリケーションにより管理ファイルにその追加された画像又は音声情報のエントリがされる前にインターフェースが切断された場合、記録再生装置により再生可能な画像又は音声情報が記録媒体に追加されているのに、管理ファイルにエントリされることなく記録媒体に保存されているため、その画像又は音声情報を再生することができないという問題がある（図５）。
【０００８】
本発明の目的は、記録媒体に読取可能な画像ファイル又は音声ファイルが存在しているにもかかわらず、管理情報を記録する管理ファイル内にそのファイルがエントリされていない場合に、その画像ファイル又は音声ファイルを再生することができる記録再生装置及びその管理情報制御方法並びにプログラムを提供することにある。
【課題を解決するための手段】
【０００９】
上記目的を達成するために、請求項１記載の記録再生装置は、画像ファイル又は音声ファイルを記録媒体に記録再生する記録再生手段と、前記記録された画像ファイル又は音声ファイルのファイル状態を示す管理情報に基づき、前記記録媒体に対する前記画像ファイル又は音声ファイルの記録再生動作を制御する管理手段と、前記記録媒体に記録された画像ファイル又は音声ファイルのうち、再生可能なファイルのファイル状態を取得する取得手段とを備え、前記管理手段は、前記管理情報に基づく前記記録媒体上の画像ファイル又は音声ファイルのファイル状態と前記取得手段により取得されたファイル状態との差異を検出し、この差異に基づいて前記管理情報の内容を更新することを特徴とする。
【００１０】
請求項９記載の管理情報制御方法は、画像ファイル又は音声ファイルを記録媒体に記録再生する記録再生手段と、前記記録された画像ファイル又は音声ファイルのファイル状態を管理情報に基づき、前記記録媒体に対する前記画像ファイル又は音声ファイルの記録再生動作を制御する管理手段と、前記記録媒体に記録された画像ファイル又は音声ファイルのうち、再生可能なファイル状態を取得する取得ステップとを備える記録再生装置の管理情報制御方法であって、前記管理手段により、前記管理情報に基づく前記記録媒体上の画像ファイル又は音声ファイルのファイル状態と前記取得手段により取得されたファイル状態の差異を検出し、この差異に基づいて前記管理情報の内容を更新することを特徴とする。
【００１１】
請求項１０記載のプログラムは、画像ファイル又は音声ファイルを記録媒体に記録再生する記録再生手段と、前記記録された画像ファイル又は音声ファイルのファイル状態を管理情報に基づき、前記記録媒体に対する前記画像ファイル又は音声ファイルの記録再生動作を制御する管理手段と、前記記録媒体に記録された画像ファイル又は音声ファイルのうち、再生可能なファイル状態を取得する取得ステップとを備える記録再生装置の管理情報制御方法をコンピュータにより実行するプログラムであって、前記管理手段により、前記管理情報に基づく前記記録媒体上の画像ファイル又は音声ファイルのファイル状態と前記取得手段により取得されたファイル状態の差異を検出し、この差異に基づいて前記管理情報の内容を更新することを特徴とする。
【発明の効果】
【００１２】
本発明によれば、管理情報に基づく記録媒体上の画像ファイル又は音声ファイルのファイル状態と、記録媒体に記録された画像ファイル又は音声ファイルのうち、再生可能なファイルのファイル状態との差異を検出し、この差異に基づいて上記管理情報の内容を更新するので、記録媒体に読取可能な画像ファイル又は音声ファイルが存在しているにもかかわらず、管理情報を記録する管理ファイル内にそのファイルがエントリされていない場合に、その画像ファイル又は音声ファイルを再生することができる。
【００１３】
好ましくは、上記検出した差異に基づいて記録媒体より画像ファイル又は音声ファイルの少なくとも一部が削除されたことを検出したときに、この削除されたファイルに関連する情報を管理情報から削除するので、管理情報を記録する管理ファイル内にエントリされているが、実際には記録媒体に存在していないファイルがあるとき、記録媒体に保存されている再生可能な全てのファイルについて、管理情報に基づく再生動作を正常に行うことができる。
【００１４】
好ましくは、上記検出した差異に基づいて記録媒体に対して新たに画像ファイル又は音声ファイルが追加されたことを検出したときに、この追加されたファイルに関連する情報を管理情報に追加するので、管理情報を記録する管理ファイル内にエントリされていないが、実際には記録媒体に存在するファイルがあるとき、記録媒体に保存されている再生可能な全てのファイルについて、管理情報に基づく再生動作を正常に行うことができる。
【発明を実施するための最良の形態】
【００１５】
以下、本発明の実施の形態を図面を用いて詳述する。
【００１６】
図１は、本発明の実施の形態に係る記録再生装置としての画像記録再生部の構成を概略的に示すブロック図である。
【００１７】
図１において、画像記録再生部２１３は、被写体２００の撮像を行うビデオカメラ２０１と接続し、ビデオカメラ２０１から出力される画像データの録音や再生を行う。
【００１８】
本実施の形態に係る画像記録再生部２１３は、外部のビデオカメラ２０１と接続するものであるが、ビデオカメラを内蔵することにより全体システムをビデオカメラレコーダとしてもよい。
【００１９】
画像記録再生部２１３は、メモリカードや光ディスク等の光磁気ディスクから成り、画像データを記録する記録媒体２０５と、記録媒体２０５に記録された画像データの再生やユーザインタフェースの表示を行うディスプレイ２０９（再生手段）と、画像記録再生部２１３全体を制御する内部にファイル管理部２１４を備えるマイコン２０６と、マイコン２０６からの指示された圧縮率とタイミングでビデオカメラ２０１からの画像信号を圧縮し、記録媒体２０５からの画像データを画像信号に伸縮する圧縮伸張部２０２と、ディスプレイ２０９に送信する画像信号をビデオカメラ２０１からの信号にするか圧縮伸張部２０２からの信号にするかを切り替えるスイッチ２１０と、スイッチ２１０で切り替え入力されるいずれかの画像信号とマイコン２０６からの指示を加算する加算回路２１１と、画像記録再生部２１３に記録媒体２０５を接続させるインターフェースである記録媒体Ｉ／Ｆ２０４と、画像記録再生部２１３と接続可能なパソコン２１６とＵＳＢケーブルを介して接続可能であって、ＵＳＢコントローラを内蔵する外部Ｉ／Ｆ２１２（外部接続手段）と、マイコン２０６が行う制御プログラムを保存するプログラムメモリ２０７と、ディスプレイ２０９の表示に基づくユーザ入力をマイコン２０６に送信する操作キー２０８と、ビデオカメラ２０１で扱う画像信号を一時的に記憶するための画像メモリ２０３とを備える。ここで、記録媒体Ｉ／Ｆ２０４（記録再生手段）は、単に物理的に記録媒体２０５を装着するための機構のみを含むのではなく、記録媒体２０５に対して実際にデータの記録・再生を行う機構をも備えており、マイコン２０６が記録媒体Ｉ／Ｆ２０４を制御して記録媒体２０５に記録された画像データの読み書きを行う。
【００２０】
また、記録媒体２０５には、画像データの他、その画像データを保存するファイルの管理番号、格納位置、ファイルサイズ、圧縮形式、ビットレートに関する情報等から成る管理情報を保存する管理ファイル２１５及び汎用のアプリケーションに読み取り可能に画像データを保存するファイルに関する情報（以下「ファイル情報」という。）を保存するファイルシステム２１７が記録されている。マイコン２０６のファイル管理部２１４（管理手段）は、記録媒体２０５に画像データが記録されたときに、その管理情報を所定のファイル管理形式（例えば、ＵＤＦ(Universal Disk Format)）で生成し、生成された管理情報で記録媒体２０５の管理ファイル２１５の管理情報を更新する（以下管理ファイル２１５にファイルをエントリする」という。）ことにより、記録媒体２０５にある画像データの管理を行う。
【００２１】
またファイル管理部２１４は、記録媒体２０５に上述した所定のファイル管理形式の管理ファイル２１５がないときは、まず管理ファイル２１５を記録媒体２０５中に生成する。
【００２２】
上述のような構成を有する画像記録再生部２１３は、記録媒体２０５に以下のように手順で画像データを記録する。
【００２３】
まず、ビデオカメラ２０１で撮影された被写体２００の画像信号は、スイッチ２１０を通って加算回路２１１へ入力されるとともに、圧縮伸長部２０２へ入力される。圧縮伸長部２０２ではマイコン２０６からの指示された圧縮率とタイミングでこの入力した画像信号を圧縮して画像データを作成する。その後、この画像データを記録媒体Ｉ／Ｆ２０４を介して記録媒体２０５に送信し、記録媒体２０５中に記録させる。このとき、ファイル管理部２１４は、記録媒体２０５の管理ファイル２１５に、追加記録された画像データのファイルをエントリする。
【００２４】
また、画像記録再生部２１３は、上述の手順で記録媒体２０５に記録された記録画像を以下のような手順で再生する。
【００２５】
まず、記録媒体Ｉ／Ｆ２０４が、画像記録再生部２１３に記録媒体２０５が装着されているか否かを検出する。上記検出の結果、記録媒体２０５が画像記録再生部２１３に装着されているとき、記録媒体Ｉ／Ｆ２０４はマイコン２０６にその旨を通知する。その後、マイコン２０６にあるファイル管理部２１４は、後述する図２の情報更新処理により管理ファイル２１５にある管理情報の更新を行った後に、その管理情報を読み込み、記録媒体２０５上にディスプレイ２０９への再生が可能な画像データが存在するか否かを確認する。ファイル管理部２１４が読み込んだ管理情報により再生可能な画像データが存在することを確認すると、この再生可能な画像データのリストをディスプレイ２０９にユーザ選択可能に表示する。このディスプレイ２０９に表示されたリストから画像データが操作キー２０８でユーザ選択されると、このユーザ選択された画像データの格納位置や圧縮形式を、ファイル管理部２１４がその読み込んだ管理情報より取得する。
【００２６】
その後、ファイル管理部２１４はその取得した格納位置にある画像データを記録媒体２０５から取得して、取得した画像データを圧縮伸長部２０２に入力する。この入力された画像データは、圧縮伸張部２０２で伸長された後、スイッチ２１０を介してディスプレイ２０９に再生される。その後、操作キー２０８でその表示された画像を消去する旨のユーザ指示があったとき、ファイル管理部２１４により、そのユーザ指示があった画像データを記録媒体２０５から消去すると同時に、その消去された画像データの管理情報を管理ファイル２１５の管理情報から削除する。
【００２７】
次に、外部Ｉ／Ｆ２１２とＵＳＢケーブルを介して接続するパソコン２１６が、画像記録再生部２１３に装着されている記録媒体２０５に画像データを追加する場合の画像記録再生部２１３の動作について説明する。ここで、外部Ｉ／Ｆ２１２を介してパソコン２１６とＵＳＢ接続する際の接続クラスはマスストレージクラスであって、この接続クラスの情報はマイコン２０６中にインストールされている。
【００２８】
まず、外部Ｉ／Ｆ２１２が、画像記録再生部２１３にＵＳＢケーブルを介してパソコン２１６が装着されているか否かを検出する。上記検出の結果、パソコン２１６が画像記録再生部２１３に装着されているとき、外部Ｉ／Ｆ２１２はマイコン２０６にその旨を通知する。その後、マイコン２０６にあるファイル管理部２１４は、外部Ｉ／Ｆ２１２及びプログラムメモリ２０７を駆使したネゴシエーション動作を行う。このネゴシエーション動作は、Universal Serial Bus Specification及びUniversal Serial Bus Mass Storage Class Bulk-Only Transportに記載されているネゴシエーションに用いるディスクリプタ情報に基づいて行われる。
【００２９】
上記ネゴシエーションの後、パソコン２１６はＵＳＢホストとして機能し、パソコン２１６側のファイルシステムであるＵＤＦ(Universal Disk Format)が記録媒体２０５への全体的な制御を管理し、パソコン２１６から画像記録再生部２１３への画像データの転送は、パソコン２１６から記録媒体２０５への書き込み動作として行われる。具体的には、パソコン２１６側の汎用アプリケーションが、パソコン２１６のＵＳＢドライバを駆動してデータ書込命令を発行し、ＵＳＢケーブル経由で外部Ｉ／Ｆ２１２にこの書込命令及びこの命令により記録媒体２０５に書き込まれる画像データを送信する。外部Ｉ／Ｆ２１２はパソコン２１６から発行された書込命令を受信すると、この受信した命令をマイコン２０６に転送する。その後、マイコン２０６は、この転送されてきた命令を受信すると、記録媒体Ｉ／Ｆ２０４を駆動して記録媒体２０５へのアクセスを行い、記録媒体２０５にパソコン２１６から送信された画像データを追加する。
【００３０】
さらに、パソコン２１６は、記録媒体２０５に書き込む画像データを画像記録再生部２１３に送信する際、この画像データのファイル情報を記録媒体２０５中のファイルシステム２１７に書き込むファイル書込命令も送信する。マイコン２０６は記録媒体Ｉ／Ｆ２０４を介してこの命令を受信すると、記録媒体Ｉ／Ｆ２０４を駆動して記録媒体２０５へのアクセスを行い、記録媒体２０５中のファイルシステム２１７にパソコン２１６から送信された画像データに関するファイル情報を追加する。このとき、マイコン２０６のファイル管理部２１４は、パソコン２１６からの指示を受けて記録媒体Ｉ／Ｆ２０４に対してデータの書き込みが行われたことは認識するものの、このパソコン２１６によるデータ書込処理により記録媒体２０５に記録されたファイルのサイズや記録位置などの情報は認識しておらず、上述のようにファイル情報の追加が終了すると、追加された画像データに関する管理情報を管理ファイル２１５にエントリすることなく終了する。
【００３１】
また、外部Ｉ／Ｆ２１２とＵＳＢケーブルを介して接続するパソコン２１６が、画像記録再生部２１３に装着されている記録媒体２０５にある画像データを削除する場合の画像記録再生部２１３の動作は、記録媒体２０５へ画像データを書き込むのでなく、無効フラグを書き込み、また、ファイルシステム２１７に追加されたファイル情報を追加するのでなく、削除されたファイル情報を削除する点でのみ、上述の画像データを追加する場合の動作と相違する。従って、ＵＳＢケーブルにより外部Ｉ／Ｆ２１２と接続して、パソコン２１６の汎用アプリケーションから記録媒体２０５上の画像データが消去されるまでの処理は、上述の画像データを追加する場合の動作と基本的に同一であるので、重複した説明は省略する。
【００３２】
図２は、図１におけるファイル管理部２１４により実行される記録媒体２０５の情報更新処理の手順を示すフローチャートである。
【００３３】
図２において、まず、上記パソコン２１６による記録媒体２０５への画像データの追加が終了した後、外部Ｉ／Ｆ２１２がパソコン２１６と接続するＵＳＢケーブルが切断されたことを検出すると（ステップＳ２００でＹＥＳ）、記録媒体Ｉ／Ｆ２０４を介して記録媒体２０５からファイルシステム２１７及び管理ファイル２１５を読み出し、読み出したファイルシステム２１７上にファイル情報が存在する全ファイルと管理ファイル２１５にエントリ済みの全ファイルとの比較が終了したか否かを判別する（ステップＳ２０２、取得手段、検出手段）。ここで、ステップＳ２０２の処理は、ファイルシステム２１７上にファイル情報が存在するファイルの全てを対象とするが、特定のディレクトリ配下に存在するファイルのみを対象としてもよい。
【００３４】
ステップＳ２０２の比較の結果、ファイルシステム２１７上にファイル情報が存在するファイルの中に、エントリ済みでないファイル（以下「未エントリファイル」という。）があるとき（ステップＳ２０３でＹＥＳ）、ファイル管理部２１４はその未エントリファイルの拡張子や、ヘッダ情報をデコードして圧縮形式等をチェックして、未エントリファイルがディスプレイ２０９で再生可能な画像データであるか否かを判別する（ステップＳ２０４）。
【００３５】
ステップＳ２０４の判別の結果、未エントリファイルがディスプレイ２０９で再生可能であったときは、ファイル管理部２１４は管理ファイル２１５にその未エントリファイルをエントリし（ステップＳ２０５、更新手段）、ステップＳ２０２からの処理を繰り返し、管理ファイル２１５にエントリ済みの全ファイルとファイルシステム２１７上にファイル情報が存在する全ファイルとの比較が終了したときに（ステップＳ２０２でＹＥＳ）、本処理を終了する。
【００３６】
また、ステップＳ２０３の判別の結果、未エントリファイルが記録媒体２０５のファイルシステム２１７上にないとき、及び、ステップＳ２０４の判別の結果、未エントリファイルが本体で再生不能であったときは、ステップＳ２０２の処理に戻り、ファイルシステム２１７上にファイル情報が存在する次のファイルについてエントリ済みのファイルと比較を行う。
【００３７】
図２の処理によれば、ファイル管理部２１４は、外部Ｉ／Ｆ２１２によりパソコン２１６と接続するＵＳＢケーブルが切断されたことを検出したときに（ステップＳ２００でＹＥＳ）、ファイルシステム２１７上にファイル情報が存在するファイルの中に、未エントリファイルがあり（ステップステップＳ２０３でＹＥＳ）、且つその未エントリファイルがディスプレイ２０９により再生可能である場合（ステップＳ２０４でＹＥＳ）、そのファイルを管理ファイル２１５にエントリするので（ステップＳ２０５）、パソコン２１６による記録媒体２０５に対するデータの追加処理が行われた場合であっても、記録媒体２０５に保存されている再生可能な全ての画像データについて、管理ファイル２１５に基づく再生動作を正常に行うことができる。
【００３８】
図３は、図２の情報更新処理の変形例を示すフローチャートである。
【００３９】
図３において、まず、上記パソコン２１６による記録媒体２０５にある画像データの削除が終了した後、外部Ｉ／Ｆ２１２がパソコン２１６と接続するＵＳＢケーブルが切断されたことを検出すると（ステップＳ３０１でＹＥＳ）、記録媒体Ｉ／Ｆ２０４を介して記録媒体２０５からファイルシステム２１７及び管理ファイル２１５を読み出し、読み出したファイルシステム２１７上にファイル情報が存在する全ファイルと管理ファイル２１５にエントリ済みのファイルとの比較が終了したか否かを判別する（ステップＳ３０３、取得手段、検出手段）。ステップＳ３０３の処理では、ファイルシステム２１７にファイル情報が存在するファイルの全てを対象とするが、特定のディレクトリ配下に存在するファイルのみを対象としてもよい。
【００４０】
ステップＳ３０３の比較の結果、管理ファイル２１５にエントリされているファイルの全てのファイル情報がファイルシステム２１７上に存在するときは直接（ステップＳ３０４でＮＯ）、ファイルシステム２１７上に存在しないファイルが管理ファイル２１５にエントリされているときは（ステップＳ３０４でＹＥＳ）、ファイル管理部２１４は管理ファイル２１５上からそのファイルの管理情報を削除した後に（ステップＳ３０５）、ステップＳ３０３からの処理を繰り返す。
【００４１】
その後、ステップＳ３０３の処理で管理ファイル２１５にエントリ済みの全ファイルとファイルシステム２１７上にファイル情報が存在する全ファイルとの比較が終了したときに、本処理を終了する。
【００４２】
図３の処理によれば、ファイル管理部２１４は、外部Ｉ／Ｆ２１２によりパソコン２１６と接続するＵＳＢケーブルが切断されたことを検出したときに（ステップＳ３０１でＹＥＳ）、ファイルシステム２１７上に存在しないファイルが管理ファイル２１５にエントリされているとき（ステップＳ３０４でＹＥＳ）、管理ファイル２１５からそのファイルの管理情報を削除するので（ステップＳ３０５）、記録媒体２０５中の管理ファイル２１５にエントリされているが、実際には記録媒体２０５から削除されて存在していないファイルがある場合であっても管理ファイル２１５に基づく再生動作を正常に行うことができる。
【００４３】
本実施の形態では、パソコン２１６はＵＳＢケーブルにより画像記録再生部２１３に装着されていたが、パソコン２１６がホストとして記録媒体２０５に画像データを追加・削除できるのであれば、外部Ｉ／Ｆ２１２はＵＳＢインターフェースに限定されるものではない。また、画像記録再生部２１３で再生、記録、削除される画像データは、静止画像、動画像のいずれであってもよい。
【００４４】
また、図２の情報更新処理及び図３の情報更新処理は、いずれもＵＳＢケーブルが切断されたとき（図２のステップＳ２００，図３のステップＳ３０１）のときに、ファイルシステム２１７上にファイル情報が存在する全ファイルと管理ファイル２１５にエントリ済みの全ファイルとの比較を行っていたが（図２のステップＳ２０２，図３のステップＳ３０３）、画像記録再生部２１３の起動時、記憶媒体２０５のマウント時・ディスプレイ２０９に記録媒体２０５中の画像データを再生する時、管理ファイル２１５を更新する時に、上記比較処理を行うようにしても同様の効果を奏することができる。
【００４５】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００４６】
この場合、記憶媒体から読み出されたプログラムコード自体が前述した実施形態の機能を実現することになり、そのプログラムコードを記憶した記憶媒体は本発明を構成することになる。
【００４７】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部又は全部を行い、その処理によって前述した実施形態の機能が実現される場合も含まれることは言うまでもない。
【００４８】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施形態の機能が実現される場合も含まれることは言うまでもない。
【００４９】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００５０】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００５１】
【図１】本発明の実施の形態に係る記録再生装置としての画像記録再生部の構成を概略的に示すブロック図である。
【図２】図１におけるファイル管理部により実行される記録媒体の情報更新処理の手順を示すフローチャートである。
【図３】図２の情報更新処理の変形例の手順を示すフローチャートである。
【図４】従来の記録再生装置における記録媒体脱着時に生ずる問題を説明するのに用いられる図である。
【図５】従来の記録再生装置におけるインターフェースに生ずる問題を説明するのに用いられる図である。
【符号の説明】
【００５２】
２００  被写体
２０１  ビデオカメラ
２０２  圧縮伸長部
２０４  記録媒体Ｉ／Ｆ
２０５  記録媒体
２０６  マイコン
２０８  操作キー
２０９  ディスプレイ
２１２  外部Ｉ／Ｆ
２１３  画像記録再生部
２１５  管理ファイル
２１６  パソコン
２１７  ファイルシステム
【図１】
2006195632.tif 000003
【図２】
2006195632.tif 000004
【図３】
2006195632.tif 000005
【図４】
2006195632.tif 000006
【図５】
2006195632.tif 000007